(57)【要約】  再生制御方法、再生制御装置及び情報記録媒体が開示される。Ａ／Ｖデータを含むタイトルが記録された情報記録媒体からタイトルの再生を制御する方法は、現在再生されるタイトル以前に再生された以前タイトルへの復帰時、以前タイトルに復帰して実行する命令語情報を参照して以前タイトルの再生を制御するステップを含む。これによれば、複数のタイトル間の再生移動及び復帰時、復帰位置を正確に指定できる。
2009543263.tif 000002
【特許請求の範囲】
【請求項１】
Ａ／Ｖデータを含むタイトルが記録された情報記録媒体から前記タイトルの再生を制御する方法において、
現在再生されるタイトル以前に再生された以前タイトルに復帰する時、前記以前タイトルに復帰して行う命令語情報を参照して、前記以前タイトルの再生を制御するステップを含むことを特徴とする再生制御方法。
【請求項２】
前記命令語情報は、
前記以前タイトルに対して行われる命令語リストの識別子情報を含むことを特徴とする請求項１に記載の再生制御方法。
【請求項３】
前記命令語情報は、
前記命令語リストで最後に実行した命令語の位置情報または次に実行する命令語の位置情報をさらに含むことを特徴とする請求項２に記載の再生制御方法。
【請求項４】
前記以前タイトルの再生時、前記命令語情報を、タイトル再生情報を保存するためのタイトル再生情報レジスターに記録するステップをさらに含むことを特徴とする請求項１に記載の再生制御方法。
【請求項５】
前記以前タイトルから現在タイトルへの移動時、前記タイトル再生情報レジスターに記録された命令語情報を、タイトル復帰情報を保存するためのタイトル復帰情報レジスターに移して記録するステップをさらに含むことを特徴とする請求項４に記載の再生制御方法。
【請求項６】
前記現在タイトルが完了した後の前記以前タイトルへの復帰時、前記タイトル復帰情報レジスターに記録された命令語情報を前記タイトル再生情報レジスターに移して記録するステップをさらに含むことを特徴とする請求項５に記載の再生制御方法。
【請求項７】
前記以前タイトルから現在タイトルへの移動時、前記命令語情報を、タイトル復帰情報を保存するためのタイトル復帰情報レジスターに記録するステップと、
前記現在タイトルから前記以前タイトルへの復帰時、前記タイトル復帰情報レジスターに記録された前記命令語情報を参照して、前記以前タイトルの命令語を実行するステップと、を含むことを特徴とする請求項１に記載の再生制御方法。
【請求項８】
Ａ／Ｖデータを含むタイトルが記録された情報記録媒体から前記タイトルの再生を制御する方法において、
タイトル復帰情報レジスターに保存されたタイトル復帰情報を再生制御命令語により任意に変更するステップと、
前記変更されたタイトル復帰情報レジスターのタイトル復帰情報を参照して、タイトルの再生を制御するステップと、を含むことを特徴とする再生制御方法。
【請求項９】
前記変更ステップは、
第１再生制御命令語により、前記タイトル復帰情報レジスターに保存されたタイトル復帰情報を汎用レジスターに記録するステップを含むことを特徴とする請求項８に記載の再生制御方法。
【請求項１０】
前記変更ステップは、
第２再生制御命令語により、汎用レジスターに保存されたタイトル復帰情報を前記タイトル復帰情報レジスターに記録するステップを含むことを特徴とする請求項８に記載の再生制御方法。
【請求項１１】
前記変更ステップは、
タイトル呼び出し命令語により、タイトル再生情報レジスターのタイトル再生情報をタイトル復帰情報レジスターのタイトル復帰情報として記録するステップと、
復帰情報保存命令語により、前記タイトル復帰情報レジスターに保存されたタイトル復帰情報を汎用レジスターに記録するステップと、
タイトルジャンプ命令語により、タイトル復帰情報レジスターに保存されたタイトル復帰情報を削除するステップと、
復帰情報復元命令語により、前記汎用レジスターに保存されたタイトル復帰情報を前記タイトル復帰情報レジスターに記録するステップと、を含むことを特徴とする請求項８に記載の再生制御方法。
【請求項１２】
Ａ／Ｖデータを含むタイトルが記録された情報記録媒体から前記タイトルの再生を制御する装置において、
前記情報記録媒体から前記タイトルを読み出す読出部と、
現在再生されるタイトル以前に再生された以前タイトルへの復帰時、前記以前タイトルに復帰して行う命令語情報を参照して、前記以前タイトルを再生するように制御する再生制御部と、を備えることを特徴とする再生制御装置。
【請求項１３】
前記命令語情報は、
前記以前タイトルに対して行われる命令語リストの識別子情報を含むことを特徴とする請求項１２に記載の再生制御装置。
【請求項１４】
前記命令語情報は、
前記命令語リストで最後に実行した命令語の位置情報または次に実行する命令語の位置情報をさらに含むことを特徴とする請求項１３に記載の再生制御装置。
【請求項１５】
タイトル再生情報を保存するタイトル再生情報レジスターをさらに備え、
前記以前タイトルの再生時、前記再生制御部は、前記命令語情報を前記タイトル再生情報レジスターに記録することを特徴とする請求項１２に記載の再生制御装置。
【請求項１６】
タイトル復帰情報を保存するタイトル復帰情報レジスターをさらに備え、
前記以前タイトルから現在タイトルへの移動時、前記再生制御部は、前記タイトル再生情報レジスターに記録された前記命令語情報を前記タイトル復帰情報レジスターに移して記録することを特徴とする請求項１５に記載の再生制御装置。
【請求項１７】
前記再生制御部は、前記現在タイトルが完了した後の前記以前タイトルへの復帰時、前記タイトル復帰情報レジスターに記録された命令語情報を前記タイトル再生情報レジスターに移して記録することを特徴とする請求項１６に記載の再生制御装置。
【請求項１８】
前記再生制御部は、前記タイトル復帰のための命令語情報を記憶していて、前記以前タイトルから前記現在タイトルへの移動時、前記命令語情報をタイトル復帰情報レジスターに記録し、前記現在タイトルから前記以前タイトルへの復帰時、前記タイトル復帰情報レジスターに記録された前記命令語情報を参照して、前記以前タイトルを再生することを特徴とする請求項１２に記載の再生制御装置。
【請求項１９】
Ａ／Ｖデータを含むタイトルが記録された情報記録媒体から前記タイトルの再生を制御する装置において、
現在タイトルから以前タイトルへの復帰時に利用するためのタイトル復帰情報を保存するタイトル復帰情報レジスターと、
前記タイトル復帰情報レジスターのタイトル復帰情報を再生制御命令語により任意に変更し、前記タイトル復帰情報レジスターのタイトル復帰情報を参照して、タイトルを再生するように制御する再生制御部と、を備えることを特徴とする再生制御装置。
【請求項２０】
前記再生制御部は、
第１再生制御命令語により、前記タイトル復帰情報レジスターに保存されたタイトル復帰情報を汎用レジスターに記録することを特徴とする請求項１９に記載の再生制御装置。
【請求項２１】
前記再生制御部は、
第２再生制御命令語により、汎用レジスターに保存されたタイトル復帰情報を前記タイトル復帰情報レジスターに記録することを特徴とする請求項１９に記載の再生制御装置。
【請求項２２】
前記再生制御部は、
タイトル呼び出し命令語により、タイトル再生情報レジスターのタイトル再生情報をタイトル復帰情報レジスターのタイトル復帰情報に保存し、復帰情報保存命令語により、前記タイトル復帰情報レジスターに保存されたタイトル復帰情報を汎用レジスターに保存し、タイトルジャンプ命令語により、タイトル復帰情報レジスターに保存されたタイトル復帰情報を削除し、復帰情報復元命令語により、前記汎用レジスターに保存されたタイトル復帰情報を前記タイトル復帰情報レジスターに記録することを特徴とする請求項１９に記載の再生制御装置。
【請求項２３】
Ａ／Ｖデータを再生する装置に利用するための情報記録媒体において、
前記Ａ／Ｖデータで構成されたタイトルと、
現在再生されるタイトルから以前タイトルに復帰する時に利用するためのタイトル復帰情報を保存しているタイトル復帰情報レジスターのタイトル復帰情報を任意に変更するように制御する再生制御命令語と、を備える情報記録媒体。
【請求項２４】
前記再生制御命令語は、
前記タイトル復帰情報レジスターに保存されたタイトル復帰情報を汎用レジスターに移して記録するように命令する第１再生制御命令語を備えることを特徴とする請求項２３に記載の情報記録媒体。
【請求項２５】
前記再生制御命令語は、汎用レジスターに保存されたタイトル復帰情報を前記タイトル復帰情報レジスターに記録するように命令する第２再生制御命令語を備えることを特徴とする請求項２３に記載の情報記録媒体。
【請求項２６】
前記再生制御命令語は、
タイトル呼び出し命令語を利用して、タイトル再生情報レジスターに保存されたタイトル再生情報をタイトル復帰情報レジスターのタイトル復帰情報として記録し、
復帰情報保存命令語を利用して、前記タイトル復帰情報レジスターに保存された前記タイトル復帰情報を一般目的用レジスターに記録し、
タイトルジャンプ命令語を利用して、前記タイトル復帰情報レジスターに保存された前記タイトル復帰情報を削除し、
復帰情報復元命令語を利用して、前記タイトル復帰情報レジスターに、前記一般目的用レジスターに保存された前記タイトル復帰情報を記録する命令語を備えることを特徴とする請求項２３に記載の情報記録媒体。
【請求項２７】
ＡＶデータを含むタイトルと複数の命令語との再生を制御する方法において、
前記タイトルの第１命令語を実行するステップと、
第２タイトルに伝達するステップと、
前記第１命令語の実行に自動的に復帰するステップと、
前記タイトルの第２タイトルを実行するステップと、を含むことを特徴とする再生制御方法。
【請求項２８】
前記再生制御部により記録されたタイトル復帰情報を保存する一般目的用レジスターをさらに備えることを特徴とする請求項１９に記載の装置。
【請求項２９】
前記再生制御部により記録されたタイトル再生情報を保存するタイトル再生情報レジスターをさらに備えることを特徴とする請求項１９に記載の装置。
【発明の詳細な説明】
【技術分野】
【０００１】
本発明は、複数のタイトル間の移動及び復帰を円滑にする再生制御方法、再生制御装置及び情報記録媒体に関する。
【背景技術】
【０００２】
映像再生情報を保存した情報記録媒体を再生する再生装置において、ユーザーにさらに多様な形態の映像再生制御方法を提供するために、既存に使われた単純な形態のタイトル復帰機能より向上した映像再生制御方法が要求されている。
【０００３】
図１は、ＡＶデータを再生するための情報記録媒体に記録されたデータの構成を示す。図１で、情報記録媒体に記録されたデータを区分する最上位単位として、タイトル情報１１０がある。タイトル情報１１０には、メニューと各タイトルとについての情報を含んでいる。
【０００４】
また、各タイトルの再生制御のための命令語を含んでいる命令語セット１２０があって、特定タイトルが選択された場合、該当タイトルに対する命令語が実行されて再生制御をする。図１には、命令語セット１２０内に、命令語リスト＃１  １２１、命令語リスト＃２  １２２、…命令語リスト＃ｍ  １２３が含まれている。そして、各タイトルに対する命令語リストは、ＡＶデータ再生のための命令語を含んでおり、再生するＡＶデータを指定すれば、再生装置は指定されたＡＶデータを再生する。図１を参照するに、各命令語リスト＃１  １２１はプレイリスト（ＰｌａｙＬｉｓｔ）＃ｘ  １３０を指定し、プレイリスト＃ｘ  １３０は、プレイアイテム（ＰｌａｙＩｔｅｍ）＃０  １３１からプレイアイテム＃ｎ  １３２まで持っており、プレイアイテム＃０  １３１はＡＶストリーム＃ｉ  １４１を示し、プレイアイテム＃ｎ  １３２はＡＶストリーム＃ｊ  １４２を示す。
【０００５】
これらの構造の映像再生情報を記録している情報記録媒体を利用して、ユーザーに映像再生を提供するための再生装置は、再生制御部により情報記録媒体からタイトル情報を入手して、最初に再生するように設定されたタイトルを選択するか、またはユーザーが再生しようとするタイトルを選択する。選択されたタイトルは、映像再生制御のための命令語を記録している命令語情報のうち、行う命令語リストを指示する。このように選択されたタイトルにより指示された命令語リストは、再生制御部により命令語リストの最初の命令語から順次に実行され、実行過程で再生関連命令語が実行されれば、再生するプレイリストが選択される。また選択されたプレイリストに含まれている最初のプレイアイテム、または任意のプレイアイテムに連結されているプレゼンテーションデータの最初の部分または任意の位置から再生を始め、指定されたプレゼンテーションデータの処理が終われば、現在まで実行された命令語の次の命令語が行われる。
【０００６】
前記過程を通じて再生しようとするプレゼンテーションデータを選択して再生する最中に、ユーザーにより、または命令語情報により現在再生中のタイトルの再生を止めて他のタイトルまたは同一タイトルの他のプレゼンテーションデータに移動して再生でき、また移動した位置で再生する最中に再び以前タイトルまたは同一タイトルでの以前プレゼンテーションデータへ復帰させる再生制御ができる。このために再生装置は、タイトル復帰情報レジスターを使用する。
【０００７】
前記過程を通じて再生するプレゼンテーションデータが選択されて再生される最中に、ユーザーによりまたは再生制御のための命令語情報によりタイトルまたはプレゼンテーションデータの位置移動をする場合、再生制御部は、現在再生中のタイトルの再生位置情報を記録するかどうかを決定する。そして、再生制御部、タイトルの再生位置情報を記録せねばならない場合、タイトル再生情報レジスターの値をタイトル復帰情報レジスターに記録する。例えば、タイトルＪｕｍｐ命令語は、現在再生位置に復帰するためのタイトル復帰情報を記録せず、またタイトル復帰情報レジスターに既に記録されたタイトル復帰情報がある場合、この情報を削除する。タイトルＣａｌｌ命令語は、現在再生位置に復帰するためにタイトル再生情報をタイトル復帰情報レジスターに記録する。もし、現在再生中のタイトルまたはプレゼンテーションデータの再生位置情報を記録して、タイトル移動またはプレゼンテーションデータの移動をした場合、移動したタイトルまたは移動したプレゼンテーションデータの再生中、または再生完了時点でユーザーによりまたは命令語情報により、以前タイトルまたは以前プレゼンテーションデータの位置に復帰することができる。このために、再生装置はプレゼンテーションデータの処理を停止し、タイトル復帰情報レジスターに記録されているタイトル復帰情報をタイトル再生情報レジスターに移して記録することによって以前タイトルの再生情報を復元し、復元されたタイトル再生情報によってプレゼンテーションデータの処理を行う。
【０００８】
図２は、タイトルが含まれている命令語セットと、この命令語セットの実行のために再生されるデータとの一例を示す。図２を参照するに、タイトル＃１は命令語リスト＃１  ２１０を含んでおり、命令語リスト＃１  ２１０が実行されれば、最初の命令語であるＰｌａｙ  ＰｌａｙＬｉｓｔ＃１を実行してＰｌａｙＬｉｓｔ＃１  ２２０を再生する。ＰｌａｙＬｉｓｔ＃１に含まれているＡＶ  ｓｔｒｅａｍ＃０を再生する最中に、ユーザーによりＣａｌｌ  Ｔｉｔｌｅ＃２  ２４０動作が発生すれば、現在再生中のＴｉｔｌｅ＃１の再生情報、すなわち、タイトル番号、チャプター番号、プレイリスト番号、プレイアイテム番号、再生時間のような再生情報をタイトル復帰情報レジスターに記録した後、映像再生を中止してタイトル＃２に移動する。再生装置が新たに設定されたタイトル＃２を再生するためにタイトル＃２の命令語リスト＃２  ２５０を実行すれば、命令語リスト＃２  ２５０の最初の命令であるＰｌａｙ  ＰｌａｙＬｉｓｔ＃３を実行して、ＰｌａｙＬｉｓｔ＃３  ２６０に含まれているＡＶ  ｓｔｒｅａｍ＃２  ２７０を再生する。ＡＶ  ｓｔｒｅａｍ＃２  ２７０の再生が完了すれば、命令語リスト＃２  ２５０の二番目の命令であるＲｅｓｕｍｅが実行されて、タイトル復帰情報レジスターに記録されている以前タイトルの再生情報をタイトル再生情報レジスターに書換えた後、復元されたタイトル再生情報レジスターのタイトル再生情報によって、プレイリスト、プレイアイテム、再生時間に対応するＡＶ  ｓｔｒｅａｍ＃０の位置から再生を再び始める。
【０００９】
ＡＶ  ｓｔｒｅａｍ＃０の再生が完了すれば、再生装置は命令語リスト＃１の二番目の命令語を実行せねばならないが、タイトル再生情報レジスターには、次に行われる命令語リストや命令語リスト内の命令語ライン情報がないため、結局Ｒｅｓｕｍｅ動作以後にいかなる命令語を実行せねばならないかが正確に分からなくなる問題が発生する。
【００１０】
このようにタイトル復帰情報レジスターに記録される情報に命令語についての情報がないため、再生装置は、タイトル復帰情報を利用して以前に再生中のタイトルに復帰した後、あらゆるプレゼンテーションデータの再生が終わって、次の再生制御のために命令語リストで行う命令語を探せず、再び最初の命令語を実行するようになるか、または誤った命令語を実行するようになる。
【発明の概要】
【発明が解決しようとする課題】
【００１１】
本発明は、前記のような問題点を解決して、複数のタイトル間の再生移動及び復帰時、復帰位置を正確に指定可能にする再生制御方法及び装置を提供することを目的とする。
【００１２】
また本発明は、コンテンツ制作者によりタイトル復帰情報レジスターの値を指定可能にすることによって、さらに複雑な形態のタイトル移動を可能にする再生制御方法、装置及び情報記録媒体を提供することを目的とする。
【課題を解決するための手段】
【００１３】
前記のような課題を解決するための本発明の一つの特徴は、Ａ／Ｖデータを含むタイトルが記録された情報記録媒体から前記タイトルの再生を制御する方法において、現在再生されるタイトル以前に再生された以前タイトルに復帰する時、前記以前タイトルに復帰して行う命令語情報を参照して、前記以前タイトルの再生を制御するステップを含む。
【００１４】
前記命令語情報は、前記以前タイトルに対して行われる命令語リストの識別子情報を含むことが望ましい。
【００１５】
前記命令語情報は、前記命令語リストで最後に実行した命令語の位置情報、または次に実行する命令語の位置情報をさらに含むことが望ましい。
【００１６】
前記以前タイトルの再生時、前記命令語情報を、タイトル再生情報を保存するためのタイトル再生情報レジスターに記録するステップをさらに含むことが望ましい。
【００１７】
前記以前タイトルから現在タイトルへの移動時、前記タイトル再生情報レジスターに記録された命令語情報を、タイトル復帰情報を保存するためのタイトル復帰情報レジスターに移して記録するステップをさらに含むことが望ましい。
【００１８】
前記現在タイトルが完了した後の前記以前タイトルへの復帰時、前記タイトル復帰情報レジスターに記録された命令語情報を前記タイトル再生情報レジスターに移して記録するステップをさらに含むことが望ましい。
【００１９】
前記以前タイトルから現在タイトルへの移動時、前記命令語情報を、タイトル復帰情報を保存するためのタイトル復帰情報レジスターに記録するステップと、前記現在タイトルから前記以前タイトルへの復帰時、前記タイトル復帰情報レジスターに記録された前記命令語情報を参照して、前記以前タイトルの命令語を実行するステップと、を含むことが望ましい。
【００２０】
本発明の他の特徴は、Ａ／Ｖデータを含むタイトルが記録された情報記録媒体から前記タイトルの再生を制御する方法において、タイトル復帰情報レジスターに保存されたタイトル復帰情報を再生制御命令語により任意に変更するステップと、前記変更されたタイトル復帰情報レジスターのタイトル復帰情報を参照して、タイトルの再生を制御するステップと、を含むことである。
【００２１】
前記変更ステップは、第１再生制御命令語により、前記タイトル復帰情報レジスターに保存されたタイトル復帰情報を汎用レジスターに記録するステップを含むことが望ましい。
【００２２】
前記変更ステップは、第２再生制御命令語により、汎用レジスターに保存されたタイトル復帰情報を前記タイトル復帰情報レジスターに記録するステップを含むことが望ましい。
【００２３】
前記変更ステップは、タイトル呼び出し命令語により、タイトル再生情報レジスターのタイトル再生情報をタイトル復帰情報レジスターのタイトル復帰情報として記録するステップと、復帰情報保存命令語により、前記タイトル復帰情報レジスターに保存されたタイトル復帰情報を汎用レジスターに記録するステップと、タイトルジャンプ命令語により、タイトル復帰情報レジスターに保存されたタイトル復帰情報を削除するステップと、復帰情報復元命令語により、前記汎用レジスターに保存されたタイトル復帰情報を前記タイトル復帰情報レジスターに記録するステップと、を含むことが望ましい。
【００２４】
本発明のさらに他の特徴は、Ａ／Ｖデータを含むタイトルが記録された情報記録媒体から前記タイトルの再生を制御する装置において、前記情報記録媒体から前記タイトルを読み出す読出部と、現在再生されるタイトル以前に再生された以前タイトルへの復帰時、前記以前タイトルに復帰して実行する命令語情報を参照して前記以前タイトルを再生するように制御する再生制御部と、を備えることである。
【００２５】
前記再生制御装置は、タイトル再生情報を保存するタイトル再生情報レジスターをさらに備え、前記以前タイトルの再生時、前記再生制御部は、前記命令語情報を前記タイトル再生情報レジスターに記録することが望ましい。
【００２６】
また前記再生制御装置は、タイトル復帰情報を保存するタイトル復帰情報レジスターをさらに備え、前記以前タイトルから現在タイトルへの移動時、前記再生制御部は、前記タイトル再生情報レジスターに記録された前記命令語情報を前記タイトル復帰情報レジスターに移して記録することが望ましい。
【００２７】
前記再生制御部は、前記現在タイトルが完了した後の前記以前タイトルへの復帰時、前記タイトル復帰情報レジスターに記録された命令語情報を前記タイトル再生情報レジスターに移して記録することが望ましい。
【００２８】
前記再生制御部は、前記タイトル復帰のための命令語情報を記憶していて、前記以前タイトルから前記現在タイトルへの移動時、前記命令語情報をタイトル復帰情報レジスターに記録し、前記現在タイトルから前記以前タイトルへの復帰時、前記タイトル復帰情報レジスターに記録された前記命令語情報を参照して、前記以前タイトルを再生することが望ましい。
【００２９】
本発明のさらに他の特徴は、Ａ／Ｖデータを含むタイトルが記録された情報記録媒体から前記タイトルの再生を制御する装置において、現在タイトルから以前タイトルへの復帰時に利用するためのタイトル復帰情報を保存するタイトル復帰情報レジスターと、前記タイトル復帰情報レジスターのタイトル復帰情報を再生制御命令語により任意に変更し、前記タイトル復帰情報レジスターのタイトル復帰情報を参照してタイトルを再生するように制御する再生制御部とを備える。
【００３０】
本発明のさらに他の特徴は、Ａ／Ｖデータを再生する装置に利用するための情報記録媒体において、前記Ａ／Ｖデータで構成されたタイトルと、現在再生されるタイトルから以前タイトルに復帰する時に利用するためのタイトル復帰情報を保存しているタイトル復帰情報レジスターのタイトル復帰情報を任意に変更するように制御する再生制御命令語と、を備えることである。
【００３１】
前記再生制御命令語は、前記タイトル復帰情報レジスターに保存されたタイトル復帰情報を汎用レジスターに移して記録するように命令する第１再生制御命令語を備えることが望ましい。
【００３２】
前記再生制御命令語は、汎用レジスターに保存されたタイトル復帰情報を前記タイトル復帰情報レジスターに記録するように命令する第２再生制御命令語を備えることが望ましい。
【図面の簡単な説明】
【００３３】
【図１】ＡＶデータを再生するための情報記録媒体に記録されたデータの構成を示す図である。
【図２】タイトルが含んでいる命令語セットとこの命令語の実行のために再生されるデータとの一例を示す図である。
【図３】本発明によって情報記録媒体を再生するための再生装置のブロックである。
【図４】本発明によるタイトル再生情報レジスターとタイトル復帰情報レジスターとを示す図である。
【図５】本発明によってタイトルが含んでいる命令語セットとこの命令語の実行のために再生されるデータとの一例を示す図である。
【図６】本発明によってタイトル復帰情報レジスターの値を再生制御命令語により修正可能に許容した場合に、タイトル移動及び復帰の一例を示す図である。
【図７】本発明によってタイトル復帰時の命令語情報を参照して、再生制御を行う過程を示すフローチャートである。
【図８】本発明によってタイトル復帰情報レジスターの値を変更して再生制御を行う過程を示すフローチャートである。
【発明を実施するための形態】
【００３４】
以下、添付した図面を参照して本発明を詳細に説明する。
【００３５】
図３は、本発明によって情報記録媒体を再生するための再生装置のブロック図である。図３を参照するに、本発明による再生装置は、情報記録媒体３１０からデータを読み出す読出部３２０、読出部３２０から受信された動画データをデコーダ３４０の各部分に伝送するデマルチプレクサー（ＤＥＭＵＸ）３３０、デコーダ３４０、動画データの再生制御のために命令語処理器３５１を持っている再生制御部３５０、ユーザーからのキー入力及び再生装置の設定のためのシステムメニューまたは再生情報をユーザーに提供するユーザーインターフェース処理部３６０、動画の再生と関連した情報を保存するレジスター３７０を備える。
【００３６】
情報記録媒体３１０は、動画データを再生するためにタイトル情報、ナビゲーション命令語情報及び再生単位情報を含み、再生単位情報で指示している動画データを記録している。デコーダ３４０は、デマルチプレクサー３３０から受信されたビデオデータをデコードするビデオデコーダ３４１、デマルチプレクサー３３０から受信されたグラフィックデータをデコードするグラフィックデコーダ３４２、デマルチプレクサー３３０から受信されたオーディオデータをデコードするオーディオデコーダ３４３を備える。レジスター３７０は、汎用レジスター３７１、再生状態レジスター３７２、プレイヤー設定レジスター３７３を備える。汎用レジスター３７１は、再生制御部３５０の命令語処理器３５１で実行される命令語により任意に値を保存するか、演算するために使用する。
【００３７】
プレイヤー設定レジスター３７３は、ユーザーの年齢情報、音声言語、字幕言語、国家コード、オーディオ／ビデオ設定または他の情報など再生装置の設定状態を保存する。これらの再生装置の設定情報は、再生制御部３５０で実行される命令語によっては修正されず、再生装置が提供するシステムメニューなどのユーザーインターフェースのみによって変更できる。
【００３８】
再生状態レジスター３７２は、再生装置が情報記録媒体を再生している状態で現在再生中のタイトル番号、チャプター番号、プレイリスト番号、プレイアイテム番号、再生時間などの再生状態情報を保存する。再生状態レジスター３７２は、現在再生中のタイトルの再生情報を保存するためのタイトル再生情報レジスターと、以前タイトルに復帰する場合に使われるタイトル復帰情報を保存するためのタイトル復帰情報レジスターとを備える。これらの再生状態レジスター３７２は、再生装置が記録媒体を再生する間に特定再生制御命令語により参照及び修正が可能である。
【００３９】
図４には、本発明によるタイトル再生情報レジスターとタイトル復帰情報レジスターとが図示されている。図４を参照するに、タイトル再生情報レジスター４１０は、タイトル番号１、チャプター番号２、プレイリスト番号３、プレイアイテム番号４、再生時間５、選択されたボタンＩＤ  ６、メニューページＩＤ  ７、テキストサブタイトルのために選択されたスタイル８、命令語リストＩＤ  ９、命令語ライン１０を備える。
【００４０】
命令語リストＩＤ  ９と命令語ライン１０とは、本発明によって現在再生されるタイトルから以前タイトルへの復帰時、以前タイトルで実行する命令語についての情報を提供するためのものである。命令語リストＩＤ  ９は、実行する命令語リストに対する識別子を表し、命令語ライン１０は、命令語リストで実行する命令語ラインまたは次に行う命令語ラインを表す。
【００４１】
タイトル再生情報レジスター４１０は、各項目、すなわち、タイトル番号１、チャプター番号２、プレイリスト番号３などをそれぞれ保存するレジスターで構成され、タイトル復帰情報レジスター４２０も、タイトル番号、チャプター番号、プレイリスト番号などをそれぞれ保存するレジスターで構成される。すなわち、図４に示したタイトル再生情報レジスター４１０とタイトル復帰情報レジスター４２０とは、それぞれ１０個のレジスターで構成されている。本発明の他の特徴は、保存される情報によってさらに少ないか、さらに多いレジスターを使用できる。
【００４２】
第１タイトルから第２タイトルへのタイトル移動時、タイトル再生情報レジスター４１０に保存されていた値はタイトル復帰情報レジスター４２０に移して記録され、再び第２タイトルから第１タイトルへのタイトル復帰時、タイトル復帰情報レジスター４２０に保存されていた値はタイトル再生情報レジスター４２０に再び復元される。
【００４３】
図４に示した例では、タイトル再生情報レジスター４１０とタイトル復帰情報レジスター４２０いずれにも、本発明による命令語リストＩＤ  ９を保存するレジスターと命令語ライン１０を保存するレジスターとが設けられたと図示されたが、本発明はこれに限定されない。すなわち、タイトル復帰のための命令語リストＩＤと命令語ライン情報とは命令語処理器３５１で内部的に保存し、タイトル復帰情報レジスターのみに命令語リストＩＤと命令語ラインとの情報を記録するためのレジスターを用意して、タイトル復帰時にタイトル復帰情報レジスターのうち、命令語リストＩＤを保存しているレジスターと命令語ラインを保存しているレジスターとの値を、命令語処理器３５１で参照して、次に行う命令語情報を得ることもある。
【００４４】
次いで、図３に示した再生装置で、タイトル移動、復帰を含む再生動作について説明する。再生装置の再生制御部３５０が、記録媒体３１０に含まれている再生制御情報を参照して再生するタイトルを選択するか、またはユーザーインターフェース処理部３６０を通じてユーザーが再生しようとするタイトルを選択すれば、命令語処理器３５１は、選択されたタイトルに含まれた命令語リストを実行する。命令語処理器３５１が命令語リスト内の再生関連命令語を実行する場合に、再生制御部３５０は、命令語により指示されたプレイリストを再生する。
【００４５】
特に、本発明によるタイトル再生情報レジスター及び／またはタイトル復帰情報レジスターは、タイトル復帰時に行う命令語に関する情報を含んでいるか、命令語処理器３５１は、タイトル復帰時行う命令語に関する情報を記憶している。したがって、第１タイトルから第２タイトルへの移動時、タイトル再生情報レジスターに保存されていたタイトル復帰のための命令語情報はタイトル復帰情報レジスターに保存され、再び第２タイトルから第１タイトルへのタイトル復帰時、タイトル復帰情報レジスターに保存されたタイトル復帰のための命令語情報はタイトル再生情報レジスターに保存される。したがって、命令語処理器３５１は、タイトル再生情報レジスターに保存されたタイトル復帰のための命令語情報を参照して、復帰したタイトル、すなわち、第１タイトルで次に行う命令語を探すことができる。
【００４６】
タイトル復帰情報レジスターのみに復帰のための命令語情報を保存するためのレジスターが存在する場合には、タイトル移動時に命令語処理器３５１が保存していたタイトル復帰のための命令語情報をタイトル復帰情報レジスターに保存し、タイトル復帰時に命令語処理器３５１は、タイトル復帰情報レジスターに保存されたタイトル復帰のための命令語情報を参照して、復帰したタイトルで次に実行する命令語を探すこともできる。
【００４７】
また、本発明によって命令語処理器３５１は、再生制御命令語を実行してタイトル復帰情報レジスターの値を任意に変更できる。例えば、タイトル移動時に所定の再生制御命令語を実行することによってタイトル復帰情報レジスターの値を汎用レジスターに臨時で保存しおき、タイトル復帰時に所定の再生制御命令語を実行することによって、汎用レジスターに臨時に保存しておいたタイトル復帰情報をタイトル復帰情報レジスターに保存する。このように、タイトル復帰情報レジスターの値を任意に変更する必要がある場合の動作については、図６を参照して具体的に説明する。
【００４８】
図５は、本発明によってタイトルが含んでいる命令語セットとこの命令語セットの実行のために再生されるデータとの一例を示す。図５を参照するに、タイトル＃１は命令語リスト＃１  ５１０を含んでおり、命令語処理器３５１は、命令語リスト＃１  ５１０の最初の命令語であるＰｌａｙ  ＰｌａｙＬｉｓｔ＃１を実行してＰｌａｙＬｉｓｔ＃１  ５２０を再生する。ＰｌａｙＬｉｓｔ＃１に含まれているＡＶ  ｓｔｒｅａｍ＃０の再生中に、ユーザーによりＣａｌｌ  Ｔｉｔｌｅ＃２  ５４０動作が発生すれば、命令語処理器３５１は、現在再生中のＴｉｔｌｅ＃１の再生情報をタイトル復帰情報レジスター４２０に記録する。
【００４９】
再生情報を記録した後、命令語処理器３５１は、映像再生を中止してＴｉｔｌｅ＃２に移動する。再生装置が新たに設定されたタイトル＃２を再生するためにタイトル＃２の命令語リスト＃２  ５５０を実行すれば、命令語処理器３５１は、命令語リスト＃２  ５５０の最初の命令であるＰｌａｙ  ＰｌａｙＬｉｓｔ＃３を実行して、ＰｌａｙＬｉｓｔ＃３  ５６０に含まれているＡＶ  ｓｔｒｅａｍ＃２  ５７０を再生する。ＡＶ  ｓｔｒｅａｍ＃２  ５７０の再生が完了すれば、命令語リスト＃２  ５５０の二番目の命令であるＲｅｓｕｍｅが実行されて、命令語処理器３５１は、タイトル復帰情報レジスター４２０に記録されている以前タイトルの再生情報をタイトル再生情報レジスター４１０に書換えた後、復元されたタイトル再生情報レジスターのタイトル再生情報によって、プレイリスト、プレイアイテム、再生時間に対応するＡＶ  ｓｔｒｅａｍ＃０の位置から再生を再び始める。
【００５０】
ＡＶ  ｓｔｒｅａｍ＃０の再生が完了すれば、命令語処理器３５１は、タイトル再生情報レジスター４１０とタイトル復帰情報レジスター４２０とに入っている命令語情報、すなわち、命令語リストＩＤと命令語ラインとから次に行う命令語を探すことができる。すなわち、命令語リスト＃１  ５１０の命令語ラインにあるＰｌａｙ  ＰｌａｙＬｉｓｔ＃２を実行して、ＰｌａｙＬｉｓｔ＃２  ５８０に入っているＰｌａｙＩｔｅｍ＃０によってＡＶ  ｓｔｒｅａｍ＃１  ５９０を再生する。
【００５１】
また、前述したように、タイトル復帰のための命令語リストＩＤと命令語ラインとの情報は、命令語処理器４５１で内部的に保存し、タイトル復帰情報レジスターに命令語リストＩＤと命令語ラインとの情報を記録するためのレジスターを用意して、タイトル復帰時に、タイトル復帰情報レジスター４２０のうち、命令語リストＩＤを保存しているレジスターと命令語ラインを保存しているレジスターとの値を命令語処理器４５１で参照して、復帰するタイトルで実行中であった命令語リストＩＤと命令語ラインとの情報を復元させることもできる。
【００５２】
一方、再生状態レジスターの各レジスターは、特定命令語によってのみそのレジスターに入っている値の修正が許容される。例えば、ＰｌａｙＬｉｓｔ情報を記録しているレジスターは、Ｐｌａｙ  ＰｌａｙＬｉｓｔ命令のみによって値が変更され、Ｒｅｓｕｍｅ命令によって、タイトル復帰情報レジスターにあるＰｌａｙＬｉｓｔ情報値をタイトル再生情報レジスターのＰｌａｙＬｉｓｔ情報レジスターに移動させうる。またタイトル復帰情報レジスターの値は、Ｃａｌｌ  Ｔｉｔｌｅなどの命令語の実行時に、再生装置により現在再生中のタイトルの再生情報を記録することのみ許容される。しかし、コンテンツ制作者がタイトル復帰情報レジスターの値を任意に修正することを許容することによって、既存の単調なタイトル復帰動作よりさらに多様なタイトル移動及び復帰動作が可能になる。
【００５３】
図６は、本発明によってタイトル復帰情報レジスターの値を再生制御命令語により修正可能に許容した場合に、タイトル移動及び復帰の一例を図示する。図６を参照するに、Ｔｉｔｌｅ＃１→Ｃａｌｌ  Ｔｉｔｌｅ＃２→Ｊｕｍｐ  Ｔｉｔｌｅ＃３→Ｒｅｓｕｍｅ（Ｔｉｔｌｅ＃１）の順序で再生される。もし、タイトル復帰情報レジスターを再生制御命令語により修正することを許容しなければ、Ｔｉｔｌｅ＃２を再生した後、Ｊｕｍｐ  Ｔｉｔｌｅ＃３を行う過程でＴｉｔｌｅ＃１への復帰のためのタイトル復帰情報レジスターの情報を削除するため、Ｔｉｔｌｅ＃３を再生した以後、Ｔｉｔｌｅ＃１の再生が停止した時点に復帰することができない。しかし、本発明によってタイトル復帰情報レジスターの値を再生制御命令語により修正することを許容するならば、Ｔｉｔｌｅ＃２の命令語リスト＃２からＴｉｔｌｅ＃１への復帰情報が記録されているタイトル復帰情報レジスターの値を汎用レジスターに臨時記録し、Ｔｉｔｌｅ＃２を再生した後、Ｊｕｍｐ  Ｔｉｔｌｅ＃３を行ってＰｌａｙ  ＰｌａｙＬｉｓｔ＃４によりＰｌａｙＬｉｓｔ＃４のＡＶ  ｓｔｒｅａｍ＃３が再生された後、汎用レジスターに臨時記録されているＴｉｔｌｅ＃１へのタイトル復帰情報を再びタイトル復帰情報レジスターに記録した後、Ｒｅｓｕｍｅ命令語を実行することによってＴｉｔｌｅ＃１への復帰が行われうる。
【００５４】
図６に示した命令語リストの実行動作を具体的に説明する。図６を参照するに、タイトル＃１は命令語リスト＃１  ６１０を含んでおり、命令語処理器３１５は、命令語リスト＃１  ６１０の最初の命令語であるＰｌａｙ  ＰｌａｙＬｉｓｔ＃１を実行してＰｌａｙＬｉｓｔ＃１  ６２０を再生する。ＰｌａｙＬｉｓｔ＃１に含まれているＡＶ  ｓｔｒｅａｍ＃０  ６３０の再生中に、ユーザーによりＣａｌｌ  Ｔｉｔｌｅ＃２  ６４０動作が発生すれば、命令語処理器３１５は、現在再生中のＴｉｔｌｅ＃１の再生情報をタイトル復帰情報レジスターに記録した後、映像再生を中止してＴｉｔｌｅ＃２に移動する。再生装置が新たに設定されたタイトル＃２を再生するためにタイトル＃２の命令語リスト＃２  ６５０を実行すれば、命令語処理器３１５は、命令語リスト＃２  ６５０の最初の命令語として復帰情報保存命令語であるＳａｖｅ  Ｒｅｓｕｍｅ  Ｉｎｆｏを実行する。命令語処理器３１５は、Ｓａｖｅ  Ｒｅｓｕｍｅ  ＩｎｆｏによりＴｉｔｌｅ＃１への復帰情報が記録されているタイトル復帰情報レジスターの値を汎用レジスターに臨時記録する。次の命令語処理器３１５は、二番目の命令であるＰｌａｙ  ＰｌａｙＬｉｓｔ＃３を実行して、ＰｌａｙＬｉｓｔ＃３  ６６０に含まれているＡＶ  ｓｔｒｅａｍ＃２  ６７０を再生する。ＡＶ  ｓｔｒｅａｍ＃２  ６７０の再生中にＪｕｍｐ  Ｔｉｔｌｅ＃３を実行して、Ｔｉｔｌｅ＃３に含まれた命令語リスト＃３  ６９０の最初の命令語であるＰｌａｙ  ＰｌａｙＬｉｓｔ＃４によりＰｌａｙＬｉｓｔ＃４  ７００のＡＶ  ｓｔｒｅａｍ＃３  ７１０が再生される。ＡＶ  ｓｔｒｅａｍ＃３  ７１０の再生を完了してから、命令語処理器３１５は、命令語リスト＃３  ６９０の二番目の命令語として、復帰情報復元命令語であるＲｅｓｔｏｒｅ  Ｒｅｓｕｍｅ  Ｉｎｆｏにより、汎用レジスターに臨時記録されているＴｉｔｌｅ＃１へのタイトル復帰情報を再びタイトル復帰情報レジスターに記録した後、三番目の命令語であるＲｅｓｕｍｅを行うことによってＴｉｔｌｅ＃１への復帰が行われうる。
【００５５】
図７は、本発明によってタイトル復帰時命令語情報を参照して再生制御を行う過程を示すフローチャートである。図７を参照するに、以前のタイトルから現在タイトルに移動した後で再び以前タイトルへ復帰する時、タイトル復帰情報レジスター及び／またはタイトル再生情報レジスターから以前タイトルで行う命令語情報を得る（７１０ステップ）。すなわち、一つの方法は、タイトル復帰情報レジスターに以前タイトルで実行する命令語情報を保存するためのレジスターを用意し、以前タイトルから現在タイトルへの移動時、前記の命令語情報をタイトル復帰情報レジスターに記録しておいて、現在タイトルから以前タイトルへの復帰時に、タイトル復帰情報レジスターに記録しておいた命令語情報を得ることである。他の方法は、タイトル再生情報レジスター及びタイトル復帰情報レジスターともに、以前タイトルで行う命令語情報を保存するためのレジスターを用意し、現在タイトルから以前タイトルへの復帰時、タイトル復帰情報レジスターに保存しておいた命令語情報をタイトル再生情報レジスターに移して記録することによって、命令語情報を得ることである。一旦、命令語情報が得られれば、タイトル再生情報レジスターまたはタイトル復帰情報レジスターに保存された、以前タイトルで行う命令語情報を参照して、以前タイトルに対する命令語を実行する（７２０ステップ）。
【００５６】
図８は、本発明によってタイトル復帰情報レジスターの値を変更して再生制御を行う過程を示すフローチャートである。図８を参照するに、タイトル復帰情報レジスターの値を再生制御命令語により変更し（８１０ステップ）、変更されたタイトル復帰情報レジスターの値を参照してタイトルの移動または復帰を行う（８２０ステップ）。
【００５７】
以上説明したような再生制御方法はまた、コンピュータで読み取り可能な記録媒体にコンピュータで読み取り可能なコードとして具現することできる。コンピュータで読み取り可能な記録媒体は、コンピュータシステムによって読み取られるデータが保存されるあらゆる種類の記録装置を含む。コンピュータで読み取り可能な記録媒体の例には、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散されて、分散方式でコンピュータで読み取り可能なコードが保存されて実行されうる。そして、前記再生制御方法を具現するための機能的なプログラム、コード及びコードセグメントは本発明が属する技術分野のプログラマーにより容易に推論されうる。
【００５８】
本発明によれば、タイトル再生情報レジスター及び／またはタイトル復帰情報レジスターに命令語リストＩＤと命令語ラインとの情報を記録するためのレジスターを追加することによって、タイトル移動及び復帰後に実行しなければならない命令語情報を正確に復元できる。また、本発明によれば、タイトル復帰情報レジスターの値を再生制御命令により変更を可能にすることで、複数のタイトル間の移動及び復帰をより流動的に管理できる。
【００５９】
これまで本発明についてその望ましい実施形態を中心に説明した。当業者ならば、本発明が本発明の本質的な特性から逸脱しない範囲で変形された形態で具現できるということを理解できるであろう。したがって、開示された実施形態は限定的な観点ではなく説明的な観点で考慮されねばならない。本発明の範囲は前述した説明ではなく特許請求の範囲に現れており、それと同等な範囲内にあるあらゆる差異点は本発明に含まれていると解釈されねばならない。
【図１】
2009543263.tif 000003
【図２】
2009543263.tif 000004
【図３】
2009543263.tif 000005
【図４】
2009543263.tif 000006
【図５】
2009543263.tif 000007
【図６】
2009543263.tif 000008
【図７】
2009543263.tif 000009
【図８】
2009543263.tif 000010
【国際調査報告】
2009543263.tif 000011
2009543263.tif 000012